(57)【特許請求の範囲】
【請求項１】
盤面上に複数の音高キーが配設されてなるハンディータイプの電子楽器において、
複数のそれぞれが異なる音域に分け、該音域は一部をオーバーラップさせ、それぞれの音域について、演奏者の親指を前記盤面上に位置させて前記電子楽器を把持した場合に該親指の付け根を略中心とする略円弧状を成す配列で、前記複数の音高キーを配設することを特徴とする電子楽器。
【請求項２】
前記複数の音高キーの配列を複数列にわたって設けたことを特徴とする請求項１に記載の電子楽器。
【発明の詳細な説明】
【０００１】
【発明の属する技術分野】
この発明は、両手又は片手で把持して親指で演奏操作するのに適したハンディータイプの電子楽器に関する。
【０００２】
【従来技術】
本体サイズが小型なハンディータイプの楽器としては、自然楽器ではその物理的サイズにより発音可能な音域が制限されるので、オカリナ、ピッコロ、ソプラノリコーダ等、ソプラノ系の楽器が多い。この点、小型電子鍵盤楽器や電子管楽器等の小型電子楽器には物理的サイズによる発音音域の制限はない。こういった小型電子楽器の更なる小型化を図るに際して、例えば小型電子鍵盤楽器には通常の鍵盤楽器と同様な配列からなる鍵盤部が具備されており、そのような既存の鍵盤（音高キー）配列のままでは電子楽器の小型化に限界があった。
これに対して、実開昭６１−６０２９９号公報においては、楽器盤面上において音高キーを既存の鍵盤配列とは全く異なる配列で円周方向に環状に配列した小型電子楽器が示されている。しかし、この場合、音高キーの配列が完全に環状を成すため、通常の鍵盤楽器の演奏操作と感覚的違いが大きく、また、運指の動作線が錯綜するために、演奏しずらいものであった。
【０００３】
【発明の解決する課題】
この発明は、上述の点に鑑みてなされたもので、両手又は片手で把持して親指等で演奏操作するのに適したハンディータイプの小型電子楽器を提供しようとするものである。
【０００４】
【課題を解決するための手段】
本発明は、盤面上に複数の音高キーが配設されてなるハンディータイプの電子楽器において、複数のそれぞれが異なる音域に分け、該音域は一部をオーバーラップさせ、それぞれの音域について、演奏者の親指を前記盤面上に配して前記電子楽器を把持した場合に該親指の付け根を略中心とする略円弧状を成す配列で、前記複数の音高キーを配設することを特徴とする。このように、複数の音高キーを、演奏者の親指を盤面上に配して把持した該親指の付け根を略中心とする略円弧状に配列することで、楽器を把持した手の親指で円滑に演奏操作ができる。また、電子楽器全体を極めてコンパクトなものとすることができ、両手又は片手で把持して親指等で演奏操作するのに適したハンディータイプの小型電子楽器を提供できる。また、音域は一部をオーバーラップさせるように分けていることにより、演奏操作対象とする配列を頻繁に切り換える必要がなくなるので、演奏操作が行い易くなる。
【０００５】
一例として、前記複数の音高キーの配列を複数列にわたって設けるとよい。これにより、親指で操作し易い上記略円弧状の配列が複数列にわたって設けられることで、どの配列の音高キーに対する親指での操作のし易さも確保しつつ、小型化された電子楽器盤面上の限られたキー配置領域において配置可能なキーの音域を広げることができる。この場合、スケールがオーバーラップする音高キー同士は、音高キーの並び方向において互いに同じ位置である必要はなく、むしろ異なる位置にずらして配置するとよく、そうすれば広い音域を確保することができる。更に、複数列にわたる音高キー配列においては、より外縁側に位置する配列ほど、その音高キーの突出高が低くなるように設定するとよい。これにより、本電子楽器の外縁部を把持した手の親指で盤面上の内側寄りの配列に対して演奏操作を行う時に、それよりも外側寄りに位置する配列のキーを誤操作することを防止することができ、また操作も行い易くなる。
【０００６】
【発明の実施の形態】
以下、添付図面を参照して本発明の一実施例について説明する。
図１は本発明に係る電子楽器の一例を上から見た平面図である。電子楽器１の本体２は、携帯演奏を可能とするような（ハンディな）小型且つ薄型な盤状の略６角形形状の筐体からなり、各コーナーは丸みを帯びて形成されている。また、本体２の左右両側面の前方辺部は、本体２の前方に向かって内向きな斜辺部２Ａ，２Ｂになっている。なお、図１において下側が、本電子楽器１の前方であり、本電子楽器１を両手又は片手で把持した演奏者が位置する側である。本体２の盤面上には、上面円形形状を有する複数の音高キーからなる音高キー配列３〜６が、本体２の中央寄りに弧を向けた略円弧状を成して複数列配置されている。この音高キーは、楕円形やキー並び方向を短手方向とする棒状形をしていてもよい。本体２の盤面上にはまた、各種操作子群１０〜１９と、液晶表示部９が、それぞれ所定位置に配設されており、本体２の背面の左右両端には、シングルフィンガー式和音指定モードにおける和音種類指定用操作子（ＳＩＮＧＬＥ  ＦＩＮＧＥＲ）７ａ，７ｂ及びレジストデータ選択操作子（ＲＥＧＩＳＴ）８ａ，８ｂがそれぞれ配設されている。液晶表示部９は種々の操作設定等を表示するのに用いる。
【０００７】
本体２の背面には、回しきり位置での電源オン／オフを兼ねてなると共に楽音の音量を設定するための音量つまみ４０（ＶＲ）、オーディオ信号入力ピン４１（ＭＩＸ  ＩＮ）、オーディオ信号出力ピン４２（ＭＩＸ  ＯＵＴ）、及び、ヘッドフォン接続ピン４３（ＨＰ）がそれぞれ配設されている。オーディオ信号入力ピン４１（ＭＩＸ  ＩＮ）は外部からのオーディオ信号（楽音信号）を入力するための入力ピンであり、オーディオ信号出力ピン４２（ＭＩＸ  ＯＵＴ）は、この電子楽器１内部で生成したオーディオ信号を外部に出力するための出力ピンであって、オーディオ信号入力ピン４１（ＭＩＸ  ＩＮ）及びオーディオ信号出力ピン４２（ＭＩＸ  ＯＵＴ）を介して他の電子楽器等の外部機器と接続することで、接続した機器と合奏を行うことができる。なお、本体２には、この他にもＭＩＤＩ規格の楽曲データの入出力を行うＭＩＤＩインターフェース用の入出力ピンを具備してもよいし、また、光でＭＩＤＩ信号を送受信する光学式リモコン送受信器を内蔵するようにしてもよい。
【０００８】
この電子楽器１は、本体２を演奏者の両手（又は片手）で把持し、両親指にて本体２の上面に設けられた音高キー等の操作子の操作をし易いように構成されている。まず、この電子楽器１の把持態様について説明する。
電子楽器１を演奏操作するに際して、演奏者は、両手の掌、小指、中指及び薬指等で本体２を支え、親指付け根付近を本体２の前記斜辺部２Ａ，２Ｂの上縁に位置させて、親指にて本体２の上面に配置された音高キー及びその他の操作子１０〜１９を操作する。左右人差し指は本体２の側面に沿って配され、該人差し指の指先にて背面左右端に備わる和音種類指定用操作子（ＳＩＮＧＬＥ  ＦＩＮＧＥＲ）操作子７ａ，７ｂ及びレジストデータ選択操作子（ＲＥＧＩＳＴ）８ａ，８ｂを操作する。把持し易さを考慮して、一例として、図２に示すように、電子楽器１の裏面には凸形成されたグリップ３０Ｌ，３０Ｒが具備されている。グリップ３０Ｌ，３０Ｒには、小指、中指及び薬指の指先を当接させるための指先当接部３１Ｌ，３１Ｒが夫々設けられている。この指先当接部３１Ｌ，３１Ｒに小指、中指及び薬指の指先を当てて、本体２の前述の斜辺部２Ａ，２Ｂに両掌を当接させることで、グリップ３０Ｌ，３０Ｒの個所にて、本体２がしっかり把持されるようになっている。この時、両親指は楽器把持に直接関与しないので、両親指で本体２の盤面上の各操作子を自在に操作できる。また、操作子７ａ，７ｂ及び８ａ，８ｂは、本体２の側面に沿って位置された人差し指の指先で簡単に操作できる。なお、操作子７ａ，７ｂ及び８ａ，８ｂの配置面（本体２の背面）は、操作性を考慮して、本体２の盤面について略々９０度（８０〜１００度）程度の角度を成すものとする。
【０００９】
しかして、音高キー配列３〜６における各音高キーは、親指で操作されるものであり、本体２を把持した際に演奏者の両親指が円滑に移動可能な範囲に、本体２の盤面上において複数の列を成して配設される。
図１に戻って、音高キー配列３〜６の配列形態について説明する。図１において各音高キーには、各々の音階名を区別するための符号Ａ〜Ｇを付与して示し、また、各音高キー配列３〜６の音名Ｃに対応する各音高キーに対して、添え数字２〜４を付加してオクターブ範囲を示す。なお、音高Ｃ３を中央の音名Ｃとする。音高キー配列３〜６は、複数の音高キーが、左右親指の付け根を略中心とする略円弧状に夫々配列されて成るものである。即ち、電子楽器本体２の左右両側において、演奏者の両親指の動作線上に複数の音高キーが配列される。音高キー配列３〜６は、左右の親指に対応して本体２の左側及び右側に夫々２列づつ、その各々が半径長を異にして並列配置されている。図示の例では、本体２の左側においては、音高キー配列３と音高キー配列４が２重に配列されており、また、本体２の右側においては、音高キー配列５と音高キー配列６とが２重に配列されている。２重化された音高キー配列３と４又は５と６において、円弧の幾何学的中心は必ずしも同一点である必要はなく、要するに親指の付け根を軸にして該親指の指先を動かしてなぞることのできるような曲線状を成していればよく、また曲率が一定であることも要しない。例えば正確な円弧形状に限らず、楕円円弧や、「く」の字形又はそれに近い形状であってもよい。
【００１０】
ここで、左手用の内側寄りにある音高キー配列４を例にして、一つの音高キー配列の具体例について説明すると、白鍵と黒鍵とからなる通常の鍵盤と同様に、白鍵に相当する音高キー４ａ〜４ｔと黒鍵に相当する音高キー４ｂ〜４ｓの２列で構成され、それらが略円弧状に配置されている。白鍵に相当する音高キー４ａ，４ｃ，４ｅ…４ｔは、図において上から下に向かって低音順に既存の鍵盤の白鍵の音階配列に倣って音名Ｃ，Ｄ，…Ｇに対応して順次配置されている。また、黒鍵に相当する音高キー４ｂ，４ｄ…４ｓは、図において上から下に向かって低音順に既存の鍵盤の黒鍵の音階配列に倣って順次配列されている。黒鍵に相当する各音高キー４ｂ，４ｄ…４ｓは、白鍵に相当する各音高キー４ａ，４ｃ，４ｅ…の間に位置して、丁度通常の鍵盤の黒鍵が白鍵の横並び列において演奏者からみて若干奥に位置しているのと同様に、親指の指先の指向方向において白鍵の相当する音高キー４ａ，４ｃ，４ｅ…より奥まった位置に配置されている。このように、音高キーの配列は、音階配列順に関しては既存の鍵盤配列と同様に成されている。こうして、左側の内側寄りにある音高キー配列４には、音高Ｃ２〜Ｇ３までの音域に対応する音高キーが配置されている。
左手用の外側寄りにある音高キー配列３も同様に、白鍵に相当する音高キー３ｂ，３ｄ，…と黒鍵に相当する音高キー３ａ，３ｃ，…の２列で構成され、図において上から下に向かって低音順に並んでいる。但し、この音高キー配列３には、音高Ｆ＃１〜Ｆ２までの音域に対応する音高キーが配置されている。
【００１１】
このように、音高キー配列３と４は、異なる音域範囲に対応するものであるが、一部の音域（音高Ｃ２〜Ｆ２）がオーバーラップしている。すなわち、多重的な音高キー配列３及び４における音高キーのスケールが、一部の音域（音高Ｃ２〜Ｆ２）でオーバーラップするように設定されている。これにより、演奏操作対象とする配列を頻繁に切り換える必要がなくなるので、演奏操作が行い易くなる。例えば、仮にオーバーラップする音域（音高Ｃ２〜Ｆ２）の音高キーを配列３で設けなかったとすると、配列３で音高Ｂ１の音高キー３ｆを操作した後音高Ｃ２を演奏する場合、配列４の音高キー４ａを操作しなければならず、非常に面倒である。しかし、本実施例のようにオーバーラップしていれば、同じ配列３における隣の音高キー３ｇを操作すればよいので非常に操作し易い。
【００１２】
更に、音高キー配列３と４においてスケールがオーバーラップする各音高Ｃ２〜Ｆ２毎の各音高キー（３ｇ〜３ｌと４ａ〜４ｆ）は、音高キーの並び方向において互いに同じ位置になく、異なる位置にずらして配置されている。例えば、オーバーラップする音域（音高Ｃ２〜Ｆ２）のうち最低音の音高Ｃ２に対応する配列３における音高キー３ｇは配列３のほぼ中程に配置されているが、同じ音高Ｃ２に対応する配列４における音高キー４ａは配列４の端部に配置されている。これに対して、仮に、オーバーラップする音域（音高Ｃ２〜Ｆ２）のうち最低音の音高Ｃ２に対応する配列４における音高キー４ａを、同じ音高Ｃ２に対応する配列３における音高キー３ｇとほぼ同じ位置に配置したとすると、配列４の上端に空きが出来てしまい、音高キー配列４の音域が狭くなってしまう。しかし、本実施例によれば、配列４の上端に空きができないので、音高キー配列４の音域を広く確保することができる。
【００１３】
右手用の内側寄りにある音高キー配列５及び外側寄りにある音高キー配列６も上記と同様に、白鍵に相当する音高キーと黒鍵に相当する音高キーの２列で夫々構成されているが、その音高順が左手用とは逆になっており、且つより高音側の音域に対応している。すなわち、右手用の内側寄りにある音高キー配列５には、図において下から上に向かって低音順に音高Ｆ２〜Ｆ４までの音域に対応する音高キーが配置されている。また、右手用の外側寄りにある音高キー配列６には、図において下から上に向かって低音順に音高Ｂ３〜Ｂ４までの音域に対応する音高キーが配置されている。また上記と同様に、音高キー配列５と６では、一部の音域（音高Ｂ３〜Ｆ４）がオーバーラップするように音高キーのスケールが設定されており、且つオーバーラップする各音高Ｂ３〜Ｆ４毎の各音高キーが音高キーの並び方向に関して異なる位置にずらして配置されている。
更に、左手用の内側寄りにある音高キー配列４と右手用の内側寄りにある音高キー配列５では、一部の音域（音高Ｆ２〜Ｇ３）がオーバーラップするように音高キーのスケールが設定されている。これにより、右手演奏と左手演奏の境界が１オクターブ以上の音域幅での重なりを持って曖昧に設定されることになり、右手演奏と左手演奏の音域的な拘束が軽減され、自由な演奏が可能となり、非常に演奏操作がやり易くなる。
【００１４】
本体２の左右両側において外縁側に位置する音高キー配列３と音高キー配列６とに配設される各音高キーは、本体２の中央寄りに位置する音高キー配列４，音高キー配列５に配設される各音高キーよりも、音高キー頭の突出高が低くなっている。図３に音高キー配列３，音高キー配列４について、図１のＡ−Ａ線断面を矢視した断面略図を示す。図３において、音高キー３ｄ，３ｅ，４ｅ及び４ｄは、本体２の上面に備わる取付孔にそれぞれ配置されており、各音高キー３ｄ，３ｅ，４ｅ及び４ｄに対応してキースイッチ５１（図において、各キースイッチ５１に対して、音高キーとの対応関係を示す枝番号３ｄ，３ｅ，４ｅ，４ｄを付与する。）が、スイッチ基板５０上に配列されている。キースイッチ５１は、対応する音高キーが押し下げられると、スイッチが閉じて（オンして）キーコードが出力して、操作された音高キーが特定できるようになっており、音高キー押し下げを解く（音高キーを離す）と、スイッチが開く（オフする）ようになっている。音高キー３ｄ，３ｅ，４ｅ及び４ｄは、楽器１を把持した際に左親指の指先が指向する向きに従って音高キー３ｄ，３ｅ，４ｅ，４ｄの順に、つまり、本体２の外縁側に位置する音高キー（音高キー３ｄ）から内側に向かって順次、突出高が高くなっている。このように、操作する親指の付け根寄りに位置する音高キーの突出高を低くして、指先の方へ行くに従って音高キーの突出高が高くなって行くことで、親指の指先をスムーズに移動させることができ、演奏操作を行い易くすることができる。また、各音高キーの頭は丸みを帯びた形状になっており、親指の移動を更に容易にしている。
【００１５】
以上のように、本実施例によれば、各音高キー配列３〜６においては、複数の音高キーが、演奏者が楽器を左手及び／又は右手で把持した時に親指が届く範囲内に、該親指の動作線に沿って、円弧状に夫々配列されているため、本体２を把持する手の位置を変える（握り直す）ことなく、親指による音高キー操作を容易かつ円滑に行うことができる。従って、本実施例の電子楽器１は、演奏者の両手で本体２を把持し、把持した親指と人差し指で演奏操作するのに適しており、場所を選ばずどこでも簡単に演奏できる。例えばヘッドフォンを使用すれば電車車内等で腰掛けながら楽器演奏を個人的に楽しむことができる。なお、音高キーの配列は、本体２の右側若しくは左側のいずれか一方のみに成されるものであってもよく、また、多重的に成されるものに限らず一列だけであってもよい。
【００１６】
最後に、図４に示す本実施例に係る電子楽器１の内部構成例を参照して、図１に示された本実施例に係る電子楽器１の有する諸機能の一例について説明する。制御手段２０には、音高キー配列３〜６の各音高キー、和音種類指定用操作子７ａ，７ｂ、レジストデータ選択操作子８ａ，８ｂ及びその他の各種操作子群１０〜１９の操作信号がが入力される。制御手段２０は、自動リズムメモリ、自動伴奏メモリ及びそれらの制御回路、音源読み出し手段等を含んでなるもので、このような制御手段２０の詳細な構成については公知のため説明を省略する。制御手段２０は、音高キーの操作に応じて得られる演奏情報（キーコード、キーオン／オフ信号、タッチ情報等）に基づき音源２１から楽音信号を出力させる。音源２１は、波形メモリ等の従来から知られる音源方式のいずれを採用してもよく、また、専用のハードウェアを用いて構成してもよいし、あるいは、ＣＰＵによるソフトウェア処理で構成してもよい。音源２１で発生された楽音信号は、ディジタル／アナログ変換の後、アンプ２２を介してスピーカ２３から発音される。また、各種操作子１０〜１９及び和音種類指定用操作子（ＳＩＮＧＬＥ  ＦＩＮＧＥＲ）７ａ，７ｂ，レジストデータ選択操作子（ＲＥＧＩＳＴ）８ａ，８ｂの操作がなされると、制御手段２０は、操作された操作子に応じた所定の制御を行い、その制御に基づいた楽音信号が音源２１から出力されるように制御する。
以下、各操作子毎に簡単に説明をすると、操作子１０は数値入力を行うテンキーで、種々の選択設定の入力を行うことができる。ソング選択操作子（ＳＯＮＧ）１１はソング（楽曲）の選択を行うスイッチであり、音色選択操作子（ＶＯＩＣＥ）１２は発音する音色を選択するためのスイッチである。
【００１７】
スタイル選択操作子（ＳＴＹＬＥ）１３は自動伴奏及びリズムのスタイルを選択するスイッチである。各スタイルに対応する自動伴奏及びリズムのパターンデータは、制御手段２０に含まれるメモリ内に複数組記憶されている。制御手段２０は、スタイル選択操作子（ＳＴＹＬＥ）１３やレジストデータ選択操作子（ＲＥＧＩＳＴ）８ａ，８ｂの操作による入力データに基づいて、読み出すべき伴奏パターンを決定し、該所定のメモリから該当パターンを読み出す。スタート／ストップ操作子（ＳＴＡＲＴ／ＳＴＯＰ）１９は、自動リズムの開始及び停止を指示するスイッチである。テンポ設定操作子（ＴＥＭＰＯ）１８は、自動リズムのテンポを設定するためスイッチで、タップ式のスイッチになっている。
【００１８】
アカンパニメント・オン／オフ操作子（ＡＣＭＰ）１４は、自動伴奏のシングルフィンガー機能のオン／オフを指示するスイッチである。シングルフィンガー機能がオンされた場合は、例えば音高キー配列３に設けられた１オクターブ分の音高キーが根音指定キーとして機能し、和音種類指定用操作子（ＳＩＮＧＬＥ  ＦＩＮＧＥＲ）７ａ，７ｂによって、和音（コード）の種類が指定される。例えば、和音種類指定用操作子７ａを操作するとセブンスコード、和音種類指定用操作子７ｂを操作するとマイナーコード、どちらも操作されない場合は、メジャーコードが指定されるようにする。この和音種類指定用操作子は、７ａと７ｂの配置を逆にしてもよい。制御手段２０は、操作された根音指定キーと和音種類指定用操作子７ａ，７ｂとにより指定される和音の根音と種類により和音を決定し、決定された和音の各構成音の音高に応じた楽音信号がコードパターンデータに従って音源２１から発生されるように制御する。
【００１９】
シンクロスタート操作子（ＳＹＮＣ）１６は、シンクロスタートを指示するスイッチで、オンされると自動伴奏スタート待機状態になり、音高キー操作に応じて自動伴奏がスタートする。自動伴奏中にこれを操作すると、自動伴奏を中止して、シンクロスタート待機状態になる。イントロ／エンディング操作子（ｉｎｔｒｏ／ｅｎｄｉｎｇ）１７は、イントロパターン又はエンディングパターンの自動伴奏を指示するためのスイッチである。イントロパターンの演奏が終了するとメインの自動伴奏に移行する。エンディングパターンの演奏が終了すると自動伴奏は停止する。フィルイン操作子（ＡＵＴＯ  ＦＩＬＬ）１５は、自動伴奏中に、現在演奏中の自動伴奏に適したフィルインを自動的に演奏させるスイッチであって、これの操作により、現在演奏中の伴奏パターンからフィルインを挟んで異なる伴奏パターンへ（例えば、或る伴奏パターンＡからフィル演奏が入ってから別の伴奏パターンＢへ）移行するようにしてもよいし、伴奏パターン変更を伴わずに、単にフィルインするだけでもよい。
【００２０】
レジストデータ選択操作子（ＲＥＧＩＳＴ）８ａ，８ｂは、音色、音量、エフェクト、テンポ、伴奏スタイル、伴奏パートオン／オフ等からなる各種楽音設定・制御データの予め設定された組み合わせ（レジストデータ）を選択・切り換えするスイッチである。制御手段２０に含まれるメモリには、音色、音量、エフェクト、テンポ、伴奏スタイル、伴奏パートオン／オフ等の各種楽音設定・制御データの組み合わせを予め設定するレジストデータが複数記憶されており、レジストデータ選択操作子８ａ若しくは８ｂの操作に応じてレジストデータが読み出され、それに基づく設定の切り換えがなされる。
【００２１】
上述したような各操作子１０〜１９の適宜の設定により、所望の自動演奏を奏することができる。自動演奏中においてリアルタイムに操作される操作子、すなわち各音高キー、和音種類指定用操作子（ＳＩＮＧＬＥ  ＦＩＮＧＥＲ）７ａ，７ｂ及びレジストデータ選択操作子（ＲＥＧＩＳＴ）８ａ，８ｂは、本体２を把持した親指と人差し指にて簡単に操作できる。従って本発明に係る電子楽器によれば、場所を選ばずどこでも簡単に演奏操作及び自動演奏の操作を行うことができる。
【００２２】
【発明の効果】
以上のように、この発明によれば、電子楽器全体を極めてコンパクトなものとすることができ、両手又は片手で把持して親指等で演奏操作するのに適したハンディータイプの小型電子楽器を提供することができる。また、親指で操作し易い上記略円弧状の配列を多重的に設けることで、どの配列の音高キーに対する親指での操作のし易さも確保しつつ、小型化された電子楽器盤面上の限られたキー配置領域において配置可能なキーの音域を広げることができるという優れた効果を奏する。
【図面の簡単な説明】
【図１】  本実施例に係る電子楽器を上面から見た平面図。
【図２】  同実施例に係る電子楽器の裏面を背面方向から見た概略斜視図。
【図３】  同実施例に係る電子楽器における音高キー配置を示すための図であって、図１の矢印Ａ−Ａにおける略断面図。
【図４】  同実施例に係る電子楽器のシステム構成概略図。
【符号の説明】
１  電子楽器
２  本体
３〜６  音高キー配列（音高キー）
７ａ，７ｂ  和音種類指定用操作子
８ａ，８ｂ  レジストデータ選択操作子
９  液晶表示部
１０〜１９  操作子
２０  制御手段
２１  音源
２２  アンプ
２３  スピーカ
３０Ｌ，３０Ｒ  グリップ
３１Ｌ，３１Ｒ  指先当接部
４０  音量つまみ
４１，４２  オーディオ信号入出力ピン
４３  ヘッドフォン接続ピン
５０  スイッチ基板
５１  キースイッチ
【図１】
0003738732.tif 000002
【図２】
0003738732.tif 000003
【図３】
0003738732.tif 000004
【図４】
0003738732.tif 000005